(57)【要約】【課題】  配線作業が容易な差込接続器を提供する。【解決手段】  絶縁体からなる本体２と、該本体２の内部に設けられるとともに、一端が該本体２の表面に開口する導電体からなる雌コンタクト１１と、該雌コンタクト１１に電気的に接続されるとともに、該雌コンタクト１１によってスライド可能に支持され、かつ、一端が前記本体２の表面から出没可能な導電体からなる雄コンタクト１３と、前記雄コンタクト１３をスライドさせる絶縁体からなる切換スイッチ１７と、前記雌コンタクト１１又は雄コンタクト１３の一部に電気的に接続されるリード線２１とを備えている。【選択図】  図１
2012018805.tif 000002
【特許請求の範囲】
【請求項１】
絶縁体からなる本体と、該本体の内部に設けられるとともに、一端が該本体の表面に開口する導電体からなる雌コンタクトと、前記本体の内部に設けられるとともに、前記雌コンタクトに電気的に接続され、かつ前記雌コンタクトによってスライド自在に支持され、一端が前記本体の表面から出没可能な導電体からなる雄コンタクトと、前記雄コンタクトをスライドさせる絶縁体からなる切換スイッチと、前記雌コンタクト又は雄コンタクトに電気的に接続されるリード線とを備えていることを特徴とする差込接続器。
【請求項２】
前記本体には、前記雄コンタクトを前記本体から突出した状態にロックするロック手段が設けられていることを特徴とする請求項１に記載の差込接続器。
【請求項３】
前記リード線は、前記雌コンタクト又は雄コンタクトの一部に接続、分離可能に構成されていることを特徴とする請求項１又は２に記載の差込接続器。
【請求項４】
前記リード線は、前記本体に着脱可能なリード線支持部に支持され、該リード線支持部を前記本体に取り付けることにより、前記リード線が前記雌コンタクト又は前記雄コンタクトに電気的に接続され、前記リード線支持部を前記本体から取り外すことにより、前記リード線が前記雌コンタクト又は前記雄コンタクトから分離されることを特徴とする請求項３に記載の差込接続器。
【発明の詳細な説明】
【技術分野】
【０００１】
本発明は、差込接続器に関し、特に、電子機器同士の接続、ケーブルと電子機器との接続、ケーブル同士の接続等の配線作業に有効な差込接続器に関する。
【背景技術】
【０００２】
従来、電子機器（ＲＹ盤等）の保守点検等において、図８及び図９に示すように、２つの電子機器２５、２７間（ＲＹ盤とＡＲＥ盤との間等）に試験機２９（ＣＢ試験機等）を接続し、この試験機２９によって２つの電子機器２５、２７間に電気信号（電圧等）を印加することにより、対象となる電子機器２５の動作を確認することが行われている。
【０００３】
この場合、２つの電子機器２５、２７が離れた位置に配置されている場合に、それらの電子機器２５、２７間の距離に対応した長さのケーブルがない場合には、図８に示すように、短いケーブル３５によって各電子機器２５、２７にそれぞれ試験機２９を接続する方法を採っている。
【０００４】
また、図９に示すように、短いケーブル３５を複数本つなぎ合わせて、２つの電子機器２５、２７間の距離に対応した長さに形成し、この繋ぎ合わせた複数本のケーブル３５によって２つの電子機器２５、２７間に試験機２９を接続する方法を採っている。
【０００５】
しかし、各電子機器２５、２７にそれぞれ試験機２９を接続する方法では、２台の試験機２９が必要になり、電子機器２５、２７の保守点検等に作業に時間と手間と費用がかかる。また、複数本のケーブル３５を繋ぎ合わせものを用いて、２つの電子機器２５、２７間に試験機２９を接続する方法では、２台の試験機２９を必要とすることはないが、図１０、図１１に示すように、ケーブル３５同士の接続部をビニルテープ３６等によって絶縁する作業が必要になるため、その作業に手間がかかるとともに、絶縁不良の場合には、接地や短絡の問題が生じるおそれがある。
【０００６】
一方、上記のような問題に対処するため、特許文献１の図３に記載のような延長ケーブルを用い、この延長ケーブルを複数本つなぎ合わせて、２つの電子機器間の距離に対応した長さに形成する方法が考えられる。
【０００７】
このようなこのようなタイプの延長ケーブルを用いた方法では、延長ケーブル同士の接続部をビニルテープ等によって絶縁する必要がないので、接地、短絡等の危険を伴うようなことはない。
【先行技術文献】
【特許文献】
【０００８】
【特許文献１】特開２００６−１５５９５０号公報
【発明の概要】
【発明が解決しようとする課題】
【０００９】
しかし、電子機器及び試験機側に接続端子しか存在しない場合には、延長ケーブルのプラグ及びコンセントを電子機器及び試験機側の接続端子に接続する接続器具が別途必要になる。
【００１０】
本発明は、上記のような従来の問題に鑑みなされたものであって、電子機器同士の接続、電子機器とケーブルとの接続、ケーブル同士の接続等の配線作業を容易に行うことができる差込接続器を提供することを目的とする。
【課題を解決するための手段】
【００１１】
上記のような課題を解決するために、本発明は、以下のような手段を採用している。
すなわち、本発明は、絶縁体からなる本体と、該本体の内部に設けられるとともに、一端が該本体の表面に開口する導電体からなる雌コンタクトと、前記本体の内部に設けられるとともに、前記雌コンタクトに電気的に接続され、かつ前記雌コンタクトによってスライド自在に支持され、一端が前記本体の表面から出没可能な導電体からなる雄コンタクトと、前記雄コンタクトをスライドさせる絶縁体からなる切換スイッチと、前記雌コンタクト又は雄コンタクトに電気的に接続されるリード線とを備えていることを特徴とする。
【００１２】
本発明の差込接続器によれば、切換スイッチの操作によって雄コンタクトを雌コンタクトに沿ってスライドさせることにより、雄コンタクトの一端を本体の表面から出没させることができる。従って、雄コンタクトの一端を本体の表面から突出させることにより、雄コンタクトとリード線とを備えたプラグとして使用することができ、雄コンタクトの一端を本体に没入させることにより、雌コンタクトとリード線とを備えたコンセントとして使用することができ、１つの差込接続器で２通りの使い方ができる。この結果、例えば、２つの電子機器間に試験機を接続するような場合に、１本の延長ケーブルを用い、又は複数本の延長ケーブルをつなぎ合わせて用い、このケーブルのプラグ又はコンセントに差込接続器を接続することにより、電子機器及び試験機側に接続端子しかない場合にも容易に対応することができ、配線作業を容易にすることができる。
【００１３】
また、本発明において、前記本体には、前記雄コンタクトを前記本体から突出した状態にロックするロック手段が設けられていることとしてもよい。
【００１４】
本発明の差込接続器によれば、差込接続器をプラグとして使用する場合に、雄コンタクトが本体から突出した状態にロック手段によってロックすることができるので、使用中に雄コンタクトが本体内に没入してしまうようなことはなく、安定した接続状態が得られることになる。
【００１５】
また、本発明において、前記リード線は、前記雌コンタクト又は雄コンタクトの一部に接続、分離可能に構成されていることとしてもよい。
【００１６】
本発明の差込接続器によれば、複数の長さのリード線を雌コンタクト又は雄コンタクトの一部に接続し、又は分離させることができる。
【００１７】
さらに、本発明において、前記リード線は、前記本体に着脱可能なリード線支持部に支持され、該リード線支持部を前記本体に取り付けることにより、前記リード線が前記雌コンタクト又は前記雄コンタクトに電気的に接続され、前記リード線支持部を前記本体から取り外すことにより、前記リード線が前記雌コンタクト又は前記雄コンタクトから分離されることとしてもよい。
【００１８】
本発明の差込接続器によれば、リード線支持部を本体に取り付けることにより、リード線支持部に支持されたリード線が雌コンタクト又は雄コンタクトに接続され、リード線支持部を本体から取り外すことにより、リード線が雌コンタクト又は雄コンタクトから分離されることになる。
【発明の効果】
【００１９】
以上、説明したように、本発明の差込接続器によれば、切換スイッチの操作により、雄コンタクトを本体から出没させることにより、雄コンタクトとリード線とを備えたプラグとして使用でき、雄コンタクトを本体に没入させることにより、雌コンタクトとリード線とを備えたコンセントとして使用することができる。
従って、１つの差込接続器で２通りの使い方ができるので、例えば、２つの電子機器間に試験機を接続するような場合に、電子機器及び試験機側に接続端子しかないような場合に、市販の延長ケーブル等を利用して、延長ケーブルのプラグ及びコンセントに差込接続器をコンセント又はプラグとして接続することにより、２つの電子機器間に試験機を容易に取り付けることができ、配線作業を容易に行うことができる。
【図面の簡単な説明】
【００２０】
【図１】本発明による差込接続器の一実施の形態を示した斜視図であって、雄コンタクトを本体の内部に没入させた状態を示した説明図である。
【図２】図１の断面図である。
【図３】図１の雄コンタクトを本体から突出させた状態を示した説明図である。
【図４】図３の断面図である。
【図５】雄コンタクトと雌コンタクトと切換スイッチとの関係を示した説明図である。
【図６】図１の差込接続器の使用状態の一例を示した説明図である。
【図７】本発明による差込接続器の他の実施の形態を示した断面図である。
【図８】従来の２つの電子機器間への試験機の接続方法の一例を示した説明図である。
【図９】従来の２つの電子機器間への試験機の接続方法の他の例を示した説明図である。
【図１０】従来の試験機の接続に使用するケーブルを示した説明図である。
【図１１】図１０のケーブルの接続部の絶縁状態を示した説明図である。
【発明を実施するための形態】
【００２１】
以下、図面を参照しながら本発明の実施の形態について説明する。
図１〜図５には、本発明による差込接続器の一実施の形態が示されている。本実施の形態の差込接続器１は、電子機器同士の接続、ケーブル同士の接続、ケーブルと電子機器との接続等に有効なものである。
【００２２】
すなわち、本実施の形態の差込接続器１は、絶縁体からなる本体２と、本体２の内部に設けられる雌コンタクト１１及び雄コンタクト１３と、雄コンタクト１３を本体２から出没させる切換スイッチ１７と、雌コンタクト１１又は雄コンタクト１３（本実施の形態では雌コンタクト１１）に電気的に接続されるリード線２１とを備えている。
【００２３】
本体２は、内部に平面視四角形状の空間３を有する直方体状をなすものであって、空間３内の幅方向の両端にそれぞれ雌コンタクト１１及び雄コンタクト１３が収納されている。本体２の前面４側及び後面６側には、空間３の内外を貫通する一対の開口５、７がそれぞれ設けられ、前面４側の各開口５内に各雌コンタクト１１の一端が露出し、後面６側の各開口７内に各雌コンタクト１１の他端が露出している。
【００２４】
各雌コンタクト１１は、導電体からなる帯板状の２枚の雌コンタクト材１２、１２からなるものであって、２枚の雌コンタクト材１２、１２間に所定の間隙が形成されるように、本体２の空間３内の幅方向の両端にねじ止め、嵌合等の手段によって固定されている。
【００２５】
各雌コンタクト１１は、外側の雌コンタクト材１２の方が内側の雌コンタクト材１２よりも長く形成され、この長く形成された外側の雌コンタクト材１２の他端が本体２の後面６側の開口７内に露出している。
【００２６】
各雌コンタクト１１の一端を、２枚の雌コンタクト材１２、１２間に所定の間隔を形成した状態で本体２の前面４側の各開口５内に露出させることにより、本体２の前面４側の各開口５を介して各雌コンタクト１１の２枚の雌コンタクト材１２、１２間に延長ケーブル等のプラグ（図示せず）を抜き差しさせることができる。
【００２７】
本体２の後面６側の各開口７内に露出している各雌コンタクト１１の外側の雌コンタクト材１２の他端には、リード線２１の一端がねじ止め、半田付け等の手段によって電気的に接続され、各リード線２１の他端にはそれぞれ接続端子２２が取り付けられ、この接続端子２２が電子機器や試験機等の接続端子に電気的に接続される。
【００２８】
なお、本体２の側面８に空間３内に連通する通孔（図示せず）を設け、この通孔を介して空間３内の雌コンタクト１１にリード線２１の一端を接続するように構成してもよい。
また、本体２の後面６側にリード線支持部（図示せず）を着脱可能に取り付け、このリード線支持部にリード線２１を支持し、リード線支持部を本体２に取り付けることにより、リード線２１を雌コンタクト１１に電気的に接続し、リード線支持部を本体２から取り外すことにより、リード線２１を雌コンタクト１１から分離させるように構成してもよい。
【００２９】
各雄コンタクト１３は、導電体からなる帯板状の１枚の雄コンタクト材１４からなるものであって、各雌コンタクト１１の２枚の雌コンタクト材１２、１２間にスライド可能に装着され、これにより、各雄コンタクト１３が雌コンタクト１１を介してリード線２１に電気的に接続される。
【００３０】
各雄コンタクト１３は、各雌コンタクト１１の約半分の長さ、及び各雌コンタクト１１と略同一幅に形成され、図３中矢印Ａ方向にスライドさせたときに、先端が本体２の前面４側の各開口５から外方に所定の長さ突出し、図１中矢印Ｂ方向にスライドさせたときに、先端が本体２の内部に没入し、各雄コンタクト１２の先端と本体２の前面４側の各開口５との間に所定の空間が形成される。
【００３１】
切換スイッチ１７は、両端に取付部１９、１９を有する平板状の支持部１８と、支持部１８の上部中央部に突出した状態で一体に設けられる操作部２０とから構成される。切換スイッチ１７は、支持部１８を一対の雄コンタクト１３、１３の他端の上端間に架け渡し、この状態で支持部１８の各取付部１９、１９に各雄コンタクト１３の他端をねじ等によって固定することにより、一対の雄コンタクト１３、１３の後端間に取り付けられる。
【００３２】
本体２の上面９中央部には、本体２の長手方向に延びる長方形状のスライド溝１０が空間３の内外を貫通した状態で設けられ、このスライド溝１０内に切換スイッチ１７の操作部２０がスライド可能に挿入されている。切換スイッチ１７の操作部２０を手で掴んでスライド溝１０の長手方向の一方又は他方にスライドさせることにより、各雄コンタクト１３を各雌コンタクト１１に沿ってスライドさせることができ、各雄コンタクト１３の先端を本体２の前面４側の開口５から外方に所定の長さ突出させることができ、又は各雄コンタクト１３の先端を本体２の内部の所定の位置まで没入させることができる。
【００３３】
本体２には、切換スイッチ１７の操作によって一対の雄コンタクト１３、１３を本体２から突出させたときに、一対の雄コンタクト１３、１３を本体２から突出させた状態にロックするロック手段（図示せず）が設けられている。
【００３４】
ロック手段は、例えば、切換スイッチ１７の操作部２０又は支持部１８に設けられる突起と、本体２側に設けられる板ばねとの組合せからなり、切換スイッチ１７を操作して、切換スイッチ１７側の突起を本体２側の板ばねに係合させることにより、一対の雄コンタクト１３、１３を本体２から突出させた状態にロックでき、切換スイッチ１７側の突起の本体２側の板ばねへの係合状態を解除させることにより、一対の雄コンタクト１３、１３を本体２内に没入させることができる。ロック手段は、上記の突起と板ばねとの組合せに限らず、一対の雄コンタクト１３、１３を本体２から突出させた状態にロックする機能を有するものであればよい。
【００３５】
そして、上記のように構成した本実施の形態による差込接続器１を用い、例えば、２つ電子機器２５、２７間（ＲＹ盤とＡＲＥ盤との間等）に試験機２９を接続するには、図６に示すように、ドラム３１にケーブル３２が繰り出し、巻き取り可能に巻回されたケーブルリール３０を用い、このケーブルリール３０のプラグ３３及びコンセント３４に本実施の形態の差込接続器１を接続する。
【００３６】
この場合、２つの差込接続器１、１を用意し、一方の差込接続器１は、切換スイッチ１７の操作によって本体２の内部に雄コンタクト１３、１３を没入させた状態とし、他方の差込接続器１は、切換スイッチ１７の操作によって本体２から雄コンタクト１３、１３を突出させた状態としておく。
【００３７】
そして、一方の差込接続器１の本体２の前面４側の開口５を介して、各雌コンタクト１１の雌コンタクト材１２、１２にケーブルリール３０のプラグ３３を差し込むことにより、ケーブルリール３０のケーブル３２に一方の差込接続器１を電気的に接続し、この差込接続器１の接続端子２２を一方の電子機器２５の接続端子２６に電気的に接続する。
【００３８】
次に、他方の差込接続器１の雄コンタクト１３、１３をケーブルリール３０のコンセント３４に差し込むことにより、ケーブルリール３０のケーブル３２に他方の差込接続機１を電気的に接続し、この差込接続器１´の接続端子２２を他方の電子機器２７の接続端子２８に電気的に接続するとともに、他方の電子機器２７の接続端子２８に試験機２９を接続する。
【００３９】
このようにして、２つの電子機器２５、２７間にケーブルリール３０、及び２つの差込接続器１、１を介して試験機２９を接続することにより、２つの電子機器２５、２７間に電気信号（電圧等）を印加することができ、対象の電子機器２５、２７の動作を確認することができる。
【００４０】
上記のように構成した本実施の形態の差込接続器１にあっては、２つの電子機器２５、２７が離れた位置に配置されているような場合に、市販のケーブルリール３０や延長ケーブル（図示せず）等を用いることにより、２つの電子機器２５、２７間に試験機２９を容易に接続することができ、配線作業を容易に行うことができ、電子機器２５、２７の保守点検等の作業を容易に行うことができる。
【００４１】
なお、上記の実施の形態において、差込接続器１の各雄コンタクト１３、各雌コンタクト１１、各リード線２１に異なる色を付けておいてもよいものであり、その場合には、何れのラインに通電しているか否か等の確認を容易に行うことができる。
【００４２】
また、上記の説明においては、本実施の形態の差込接続器１を２つの電子機器２５、２７間に試験機２９を接続する場合に用いたが、ケーブル同士の接続、ケーブルと電子機器との接続、電気機器の電源への接続、電気機器同士の接続等の各種の配線作業に用いてもよいものであり、その場合にも同様の効果を奏する。
【００４３】
さらに、上記の説明においては、電子機器の接続端子が２相の場合に適用したが、電子機器が３相の場合には、２つのケーブルリールを用いて、２つのケーブルリールの２つのプラグ及びに２つのコンセントにそれぞれ２つの差込接続器を接続し、１相をアースとして使用すればよい。
【００４４】
さらに、上記の説明においては、切換スイッチ１７の操作により、本体２から一対の雄コンタクト１３、１３を出没させたが、図７に示すように、本体２の一方に雌コンタクト１１、１１を開口させ、他方に雄コンタクト１３、１３を突出した状態で固定し、雌コンタクト１３又は雄コンタクト１１の一部にリード線２１を接続するように構成してもよい。この場合には、雌コンタクト１１又は雄コンタクト１３の何れか一方を使用することになるので、不使用の何れか他方の雄コンタクト１３又は雌コンタクト１１には、絶縁体からなるキャップを装着しておく必要がある。
【符号の説明】
【００４５】
１  差込接続器
２  本体
３  空間
４  前面
５  開口
６  後面
７  開口
８  側面
９  上面
１０  スライド溝
１１  雌コンタクト
１２  雌コンタクト材
１３  雄コンタクト
１４  雄コンタクト材
１７  切換スイッチ
１８  支持部
１９  取付部
２０  操作部
２１  リード線
２２  接続端子
２５  電子機器
２６  接続端子
２７  電子機器
２８  接続端子
２９  試験機
３０  ケーブルリール
３１  ドラム
３２  ケーブル
３３  プラグ
３４  コンセント
３５  ケーブル
３６  ビニルテープ
【図１】
2012018805.tif 000003
【図２】
2012018805.tif 000004
【図３】
2012018805.tif 000005
【図４】
2012018805.tif 000006
【図５】
2012018805.tif 000007
【図６】
2012018805.tif 000008
【図７】
2012018805.tif 000009
【図８】
2012018805.tif 000010
【図９】
2012018805.tif 000011
【図１０】
2012018805.tif 000012
【図１１】
2012018805.tif 000013